(57)【要約】【課題】医用画像データ処理装置によると、正常なシャットダウンが行なわれなかった場合に、医用画像診断装置の起動時に、リカバリに比較的時間（負荷）を要する画像ＤＢをリカバリしないことで、安価なハードウェアにて次回の起動時間を大幅に短縮し、以降の検査、画像生成、及び画像転送を滞りなく実施させること。【解決手段】医用画像データ処理装置２１は、ワークフローを保管するワークフローＤＢセット２５と、生データを保管する生ＤＢセット２６と、画像データを保管する第１画像ＤＢ２７ａ及び第２画像ＤＢ２７ｂと、第１画像ＤＢ２７ａのリカバリが必要と判断される場合、第１画像ＤＢ２７ａの代わりに、第２画像ＤＢ２７ｂを用いるように制御するデータベース切換手段と、ワークフローＤＢセット２５に登録されたワークフローの実施状況を解析することで、第１画像ＤＢ２７ａに登録されている画像データの一部を再現して、再現された画像データを第２画像ＤＢ２７ｂに保存させる簡易データ復旧手段と、を有する。【選択図】  図１
2015011468.tif 000002
【特許請求の範囲】
【請求項１】
ワークフローを保管するワークフローデータベースと、
画像再構成前の生データを保管する生データベースと、
画像再構成後の画像データを保管する第１の画像データベースと、
前記画像データを保管する第２の画像データベースと、
前記第１の画像データベースのリカバリが必要と判断される場合、前記第１の画像データベースの代わりに、前記第２の画像データベースを用いるように制御するデータベース切換手段と、
前記ワークフローデータベースに登録されたワークフローの実施状況を解析することで、前記第１の画像データベースに登録されている画像データの一部を再現して、前記再現された画像データを前記第２の画像データベースに保存させる簡易データ復旧手段と、
を有する医用画像データ処理装置。
【請求項２】
前記簡易データ復旧手段は、前記生データベースを利用した画像生成と、前記画像データに対する画像処理と、前記画像データの転送とのうち少なくとも１つを実施する請求項１に記載の医用画像データ処理装置。
【請求項３】
撮像を実行する撮像部と、
ワークフローを保管するワークフローデータベースと、
前記撮像によって生成された画像再構成前の生データを保管する生データベースと、
画像再構成後の画像データを保管する第１の画像データベースと、
前記画像データを保管する第２の画像データベースと、
前記第１の画像データベースのリカバリが必要と判断される場合、前記第１の画像データベースの代わりに、前記第２の画像データベースを用いるように制御するデータベース切換手段と、
前記ワークフローデータベースに登録されたワークフローの実施状況を解析することで、前記第１の画像データベースに登録されている画像データの一部を再現して、前記再現された画像データを前記第２の画像データベースに保存させる簡易データ復旧手段と、
を有する医用画像診断装置。
【請求項４】
前記簡易データ復旧手段は、前記生データベースを利用した画像生成と、前記画像データに対する画像処理と、前記画像データの転送とのうち少なくとも１つを実施する請求項３に記載の医用画像診断装置。
【請求項５】
前記ワークフローデータベースとして、第１のワークフローデータベースと、前記第１のワークフローデータベースがリカバリされない間に前記ワークフローを保管する第２のワークフローデータベースと、を備える場合、
前記データベース切換手段は、前記第１のワークフローデータベースのリカバリが必要と判断され、前記第１のワークフローデータベースのリカバリに失敗した場合、前記第１のワークフローデータベースの代わりに、前記第２のワークフローデータベースを用いるように制御し、
予約情報に基づいて第２のワークフローを生成して、前記第２のワークフローデータベースに新規登録するワークフロー新規登録手段をさらに有し、
前記簡易データ復旧手段は、前記登録された第２のワークフローに従って、前記生データベースを利用した画像生成と、前記画像データに対する画像処理と、前記画像データの転送とのうち少なくとも１つを実施する請求項３又は４に記載の医用画像診断装置。
【請求項６】
前記ワークフロー新規登録手段は、前記画像データの転送先から前記画像データの検索問い合わせを行ない、その検索問い合わせの結果に基づいて前記第２のワークフローを生成する請求項５に記載の医用画像診断装置。
【請求項７】
前記生データベースとして、第１の生データベースと、前記第１の生データベースがリカバリされない間に前記生データを保管する第２の生データベースと、を備える場合、
前記データベース切換手段は、前記第１の生データベースのリカバリが必要と判断され、前記第１の生データベースのリカバリに失敗した場合、前記第１の生データベースの代わりに、前記第２の生データベースを用いるように制御し、
前記簡易データ復旧手段は、前記ワークフローデータベースに登録されたワークフローに従って、前記生データベースを利用した画像生成と、前記画像データに対する画像処理と、前記画像データの転送とのうち少なくとも１つを実施する請求項３又は４に記載の医用画像診断装置。
【請求項８】
前記データベース切換手段によって前記第１の画像データベースのリカバリが必要と判断される場合、前記撮像部による検査終了の度に、前記第１の画像データベースのリカバリ要求を行なうリカバリ要求手段と、
前記第１の画像データベースのリカバリを行なうリカバリ手段と、
をさらに有する請求項３乃至７のうちいずれか一項に記載の医用画像診断装置。
【請求項９】
前記リカバリ要求手段は、前記ワークフローの画像生成の実施内容を取得し、時系列で変化する第２の画像データベースの必要サイズを算出し、前記必要サイズに基づいて、前記第１の画像データベースのリカバリの期限日を算出して表示させる請求項８に記載の医用画像診断装置。
【請求項１０】
前記リカバリ手段は、前記第１の画像データベースのリカバリを実行する間、前記実施を中断させる請求項８に記載の医用画像診断装置。
【請求項１１】
前記データベース切替手段によって前記第１の生データベースのリカバリが必要と判断される場合、前記撮像部による検査終了の度に、前記第１の生データベースのリカバリ要求を行なうリカバリ要求手段と、
前記第１の生データベースのリカバリを行なうリカバリ手段と、
をさらに有する請求項７に記載の医用画像診断装置。
【請求項１２】
前記リカバリ要求手段は、前記ワークフローの検査の実施内容を取得し、時系列で変化する第２の生データベースの必要サイズを算出し、前記必要サイズに基づいて、前記第１の生データベースのリカバリの期限日を算出して表示させる請求項１１に記載の医用画像診断装置。
【請求項１３】
前記リカバリ手段は、前記第１の生データベースのリカバリを実行する間、前記実施を中断させる請求項１１に記載の医用画像診断装置。
【発明の詳細な説明】
【技術分野】
【０００１】
本発明の一態様としての本実施形態は、医用画像をデータ処理する医用画像データ処理装置及び医用画像診断装置に関する。
【背景技術】
【０００２】
医用画像診断装置の正常なシャットダウンが行なわれない場合がある。その場合、次回起動時に、医用画像診断装置が保有する各種ＤＢ（ｄａｔａ  ｂａｓｅ）のリカバリが自動で走る。その場合、特に画像ＤＢのリカバリには多大な時間を要する。よって、医用画像診断装置による検査を必要とする患者を待たせてしまい、スループットが下がる。また、救急時だと、患者を救える確率が下がってしまう。
【０００３】
そのような問題を解決すべく、電源投入後のスタディに関するリカバリのみを実施して、リカバリの所要時間を削減する医用画像診断装置がある。しかしながら、１日あたりのスタディ数や画像発生数が膨大化しているため効果が薄い。
【０００４】
さらに、ミラーリングにより信頼性を上げる技術も存在する。しかしながら、２倍のサイズのハードディスクが余分に必要なので、ハードウェアが高価になる。また、データ登録のスピード劣化が発生する。スピード劣化を防ぐには、さらに高価なハードウェアを使用する必要がある。
【０００５】
加えて、データを複数のＤＢで管理し、データ保存の信頼性を上げる多重系処理システムがある（例えば、特許文献１参照）。この技術では、複製処理手段を有しており、複製管理テーブルと未処理状態管理テーブルを有し、速く復旧できるようにしている。
【０００６】
また、ホストコンピュータ及びデータベースに対して、バックアップ用ＰＣ及びデータベースを有するバックアップシステムがある（例えば、特許文献２参照）。この技術では、通常時からバックアップ用ＰＣ側に複製を有しておき、ホストコンピュータ側の故障時に、バックアップ用ＰＣが代替する。従来に比べ、バックアップ側の規模を小さくしたり、バックアップへの切替動作を簡単にしたりすることが可能である。
【先行技術文献】
【特許文献】
【０００７】
【特許文献１】特開平８−２７８９１１号公報
【特許文献２】特開平９−２７４５７３号公報
【発明の概要】
【発明が解決しようとする課題】
【０００８】
しかしながら、上述の多重系処理システム及びバックアップシステムによると、ハードウェアが高価になるという問題が生じる。
【０００９】
また、上述の多重系処理システム及びバックアップシステムによると、データ登録のスピード劣化が発生する。
【課題を解決するための手段】
【００１０】
本実施形態の医用画像データ処理装置は、上述した課題を解決するために、ワークフローを保管するワークフローデータベースと、画像再構成前の生データを保管する生データベースと、画像再構成後の画像データを保管する第１の画像データベースと、前記画像データを保管する第２の画像データベースと、前記第１の画像データベースのリカバリが必要と判断される場合、前記第１の画像データベースの代わりに、前記第２の画像データベースを用いるように制御するデータベース切換手段と、前記ワークフローデータベースに登録されたワークフローの実施状況を解析することで、前記第１の画像データベースに登録されている画像データの一部を再現して、前記再現された画像データを前記第２の画像データベースに保存させる簡易データ復旧手段と、を有する。
【００１１】
本実施形態の医用画像診断装置は、上述した課題を解決するために、撮像を実行する撮像部と、ワークフローを保管するワークフローデータベースと、前記撮像によって生成された画像再構成前の生データを保管する生データベースと、画像再構成後の画像データを保管する第１の画像データベースと、前記画像データを保管する第２の画像データベースと、前記第１の画像データベースのリカバリが必要と判断される場合、前記第１の画像データベースの代わりに、前記第２の画像データベースを用いるように制御するデータベース切換手段と、前記ワークフローデータベースに登録されたワークフローの実施状況を解析することで、前記第１の画像データベースに登録されている画像データの一部を再現して、前記再現された画像データを前記第２の画像データベースに保存させる簡易データ復旧手段と、を有する。
【図面の簡単な説明】
【００１２】
【図１】第１実施形態の医用画像診断装置及びその周辺の構成を示す概略図。
【図２】検査種類−後処理テーブルの一例を示す図。
【図３】第１ワークフローＤＢに登録されているワークフローの一例を示す図。
【図４】第１画像ＤＢに登録されている再構成画像データの一例を示す図。
【図５】第１画像ＤＢに登録されている後処理画像データの一例を示す図。
【図６】第１実施形態のＸ線ＣＴ装置の機能を示すブロック図。
【図７】第１実施形態のＸ線ＣＴ装置の機能を示すブロック図。
【図８】リカバリ要求メッセージの一例を示す図。
【図９】第１実施形態のＸ線ＣＴ装置の動作を示すフローチャート。
【図１０】第１実施形態のＸ線ＣＴ装置の動作を示すフローチャート。
【図１１】第１実施形態のＸ線ＣＴ装置の動作を示すフローチャート。
【図１２】第２実施形態のＸ線ＣＴ装置の機能を示すブロック図。
【図１３】第２実施形態のＸ線ＣＴ装置の機能を示すブロック図。
【図１４】第２ワークフローＤＢに新規登録されるワークフローの一例を示す図。
【図１５】第２実施形態のＸ線ＣＴ装置の動作を示すフローチャート。
【図１６】第２実施形態のＸ線ＣＴ装置の動作を示すフローチャート。
【図１７】第２実施形態のＸ線ＣＴ装置の動作を示すフローチャート。
【図１８】第３実施形態のＸ線ＣＴ装置の機能を示すブロック図。
【図１９】第３実施形態のＸ線ＣＴ装置の機能を示すブロック図。
【発明を実施するための形態】
【００１３】
本実施形態の医用画像データ処理装置及び医用画像診断装置について、添付図面を参照して説明する。
【００１４】
（第１実施形態）
図１は、第１実施形態の医用画像診断装置及びその周辺の構成を示す概略図である。
【００１５】
図１は、第１実施形態の医用画像診断装置（モダリティ）１０を示す。医用画像診断装置１０は、病院基幹のＬＡＮ（ｌｏｃａｌ  ａｒｅａ  ｎｅｔｗｏｒｋ）等のネットワークＮを介して、医用画像管理装置（画像サーバ）１１、ＲＩＳ（ｒａｄｉｏｌｏｇｙ  ｉｎｆｏｒｍａｔｉｏｎ  ｓｙｓｔｅｍ）１２、医用画像処理装置（ＷＳ：ｗｏｒｋ  ｓｔａｔｉｏｎ）１３、及びサービスセンタ１４に相互通信可能に接続される。
【００１６】
医用画像診断装置１０、画像サーバ１１、ＲＩＳ１２、ＷＳ１３、及びサービスセンタ１４は、コンピュータをベースとして構成されている。
【００１７】
医用画像診断装置１０としては、超音波診断装置、Ｘ線診断装置、Ｘ線ＣＴ（ｃｏｍｐｕｔｅｄ  ｔｏｍｏｇｒａｐｈｙ）装置、及びＭＲＩ（ｍａｇｎｅｔｉｃ  ｒｅｓｏｎａｎｃｅ  ｉｍａｇｉｎｇ）装置等が挙げられ、一般的には、ネットワークＮ網に複数の医用画像診断装置１０が接続されている。医用画像診断装置１０は、患者の撮像部位等の被検体に関する画像データを、付帯情報を関連付けて生成する。以下、医用画像診断装置１０としてＸ線ＣＴ装置を用いる場合を例にとって説明する。
【００１８】
Ｘ線ＣＴ装置１０は、撮像部（スキャナ）２０と、第１実施形態の医用画像データ処理装置２１とを備える。医用画像データ処理装置２１は、プロセッサ２２、ＨＤＤ（ｈａｒｄ  ｄｉｓｋ  ｄｒｉｖｅ）２３、ＩＦ（ｉｎｔｅｒｆａｃｅ）２４、ワークフローＤＢ（ｄａｔａ  ｂａｓｅ）セット２５、生ＤＢセット２６、画像ＤＢセット２７、入力部２８、及び表示部２９を備える。
【００１９】
撮像部２０は、図示しない高電圧発生装置、Ｘ線管、Ｘ線検出器、ＤＡＳ（ｄａｔａ  ａｃｑｕｉｓｉｔｉｏｎ  ｓｙｓｔｅｍ）、及び寝台装置等を備え、医用画像データ処理装置２１による制御に従って、被検体に関する投影データを収集する。
【００２０】
医用画像データ処理装置２１のプロセッサ２２は、図示しないＣＰＵ（ｃｅｎｔｒａｌ  ｐｒｏｃｅｓｓｉｎｇ  ｕｎｉｔ）及びメモリを備える。プロセッサ２２は、Ｘ線ＣＴ装置１０を構成する各部を制御することによってＸ線ＣＴ装置１０を総括的に制御する。ＣＰＵは、半導体で構成された電子回路が複数の端子を持つパッケージに封入されている集積回路（ＬＳＩ）の構成をもつ制御装置である。操作者によって入力部２８が操作等されることにより指令が入力されると、
【００２１】
ＣＰＵは、メモリに記憶しているプログラムを実行する。又は、ＣＰＵは、ＨＤＤ２３に記憶しているプログラム、ネットワークＮから転送されてＨＤＤ２３にインストールされたプログラム、又は記憶媒体ドライブ（図示しない）に装着された記録媒体から読み出されてＨＤＤ２３にインストールされたプログラムを、メモリにロードして実行する。
【００２２】
メモリは、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等を含む記憶装置である。メモリは、ＩＰＬ（ｉｎｉｔｉａｌ  ｐｒｏｇｒａｍ  ｌｏａｄｅｒ）、ＢＩＯＳ（ｂａｓｉｃ  ｉｎｐｕｔ／ｏｕｔｐｕｔ  ｓｙｓｔｅｍ）及びデータを記憶したり、ＣＰＵのワークメモリやデータの一時的な記憶に用いられたりする。
【００２３】
ＨＤＤ２３は、磁性体を塗布又は蒸着した金属のディスクが着脱不能で内蔵されている構成をもつ記憶装置である。ＨＤＤ２３は、Ｘ線ＣＴ装置１０にインストールされたプログラム（アプリケーションプログラムの他、ＯＳ（ｏｐｅｒａｔｉｎｇ  ｓｙｓｔｅｍ）等も含まれる）や、データを記憶する記憶装置である。また、ＯＳに、操作者に対する表示部２９への情報の表示にグラフィックを多用し、基礎的な操作を入力部２８によって行なうことができるＧＵＩ（ｇｒａｐｈｉｃａｌ  ｕｓｅｒ  ｉｎｔｅｒｆａｃｅ）を提供させることもできる。
【００２４】
ＨＤＤ２３は、検査種類−後処理テーブルを記憶する。
【００２５】
図２は、検査種類−後処理テーブルの一例を示す図である。
【００２６】
図２に示すように、検査種類−後処理テーブルは、検査種類に、検査詳細、後処理としての再構成画像転送先、後処理種類、及び後処理画像転送先が対応付けられてなる。
【００２７】
図１の説明に戻って、ＩＦ２４は、パラレル接続仕様やシリアル接続仕様に合わせたコネクタによって構成される。ＩＦ２４は、各規格に応じた通信制御を行ない、ネットワークＮに接続することができる機能を有しており、これにより、Ｘ線ＣＴ装置１０をネットワークＮ網に接続させる。
【００２８】
ワークフローＤＢセット２５は、従来のワークフローＤＢに相当する第１ワークフローＤＢ２５ａと、第１ワークフローＤＢ２５ａより容量の小さい第２ワークフローＤＢ２５ｂとを備える。ワークフローＤＢ２５ａ，２５ｂは、ともにワークフローを保管する。
【００２９】
図３は、第１ワークフローＤＢ２５ａに登録されているワークフローの一例を示す図である。
【００３０】
図３は、Ｘ線ＣＴ装置１０の起動後に第１ワークフローＤＢ２５ａに登録されているワークフローの一例を示す図である。図３に示すように、第１ワークフローＤＢ２５ａに登録されるワークフローは、予約情報と、再構成画像生成（未／済）と、再構成画像転送（未／済）と、後処理種類、後処理画像生成（未／済）と、後処理画像転送（未／済）とが対応づけられてなる。予約情報は、患者ＩＤ（Ｉｄｅｎｔｉｆｉｃａｔｉｏｎ）、患者名、検査予定日、検査予定時刻、読影完了予定日、検査種類、及び検査（未／済）からなる。ここで、第１ワークフローＤＢ２５ａに登録されているワークフローの再構成画像生成、再構成画像転送、後処理画像生成、及び後処理画像転送には、未実施を示す「未」か、実施済を示す「済」が対応付けられる。
【００３１】
図１の説明に戻って、生ＤＢセット２６は、従来の生ＤＢに相当する第１生ＤＢ２６ａと、第１生ＤＢ２６ａより容量の小さい第２生ＤＢ２６ｂとを備える。生ＤＢ２６ａ，２６ｂは、ともに投影データ等の再構成前の生データを保管する。
【００３２】
画像ＤＢセット２７は、従来の画像ＤＢに相当する第１画像ＤＢ２７ａと、第１画像ＤＢ２７ａより容量の小さい第２画像ＤＢ２７ｂとを備える。画像ＤＢ２７ａ，２７ｂは、ともに再構成画像データや、後処理画像データを保管する。
【００３３】
図４は、第１画像ＤＢ２７ａに登録されている再構成画像データの一例を示す図である。
【００３４】
図４は、Ｘ線ＣＴ装置１０の起動後に第１画像ＤＢ２７ａに登録されている再構成画像データの一例を示す図である。図４に示すように、第１画像ＤＢ２７ａに登録された再構成画像データは、患者ＩＤと、再構成画像生成日と、再構成画像生成時刻とに対応づけられてなる。ここで、図３に示すワークフローの予定通りに４人の患者ＩＤ「１１１１」、「２２２２」、「３３３３」、及び「４４４４」についての検査が終了され、４人の患者ＩＤについて再構成画像生成が実施され、４人の患者ＩＤに対応する再構成画像データのみが第１画像ＤＢ２７ａに登録されている。
【００３５】
図５は、第１画像ＤＢ２７ａに登録されている後処理画像データの一例を示す図である。
【００３６】
図５は、Ｘ線ＣＴ装置１０の起動後に第１画像ＤＢ２７ａに登録されている後処理画像データの一例を示す図である。図５に示すように、第１画像ＤＢ２７ａに登録された後処理画像データは、患者ＩＤと、後処理画像生成日と、後処理画像生成時刻とに対応づけられてなる。ここで、図３に示すワークフローの予定通りに４人の患者ＩＤ「１１１１」、「２２２２」、「３３３３」、及び「４４４４」についての検査が終了され、４人の患者ＩＤについて再構成画像生成が実施され（図４に図示）、そのうち２人の患者ＩＤについて後処理画像生成が実施され、２人の患者ＩＤに対応する後処理画像データのみが第１画像ＤＢ２７ａに登録されている。
【００３７】
図１の説明に戻って、入力部２８は、操作者によって操作が可能なポインティングデバイスであり、操作に従った入力信号がプロセッサ２２のＣＰＵに送られる。
【００３８】
表示部２９は、図示しない画像合成回路、ＶＲＡＭ（ｖｉｄｅｏ  ｒａｎｄｏｍ  ａｃｃｅｓｓ  ｍｅｍｏｒｙ）、及びディスプレイ等を含んでいる。画像合成回路は、画像データに種々のパラメータの文字データ等を合成した合成データを生成する。ＶＲＡＭは、合成データをディスプレイに展開する。ディスプレイは、液晶ディスプレイやＣＲＴ（ｃａｔｈｏｄｅ  ｒａｙ  ｔｕｂｅ）等によって構成され、画像を表示する。
【００３９】
画像サーバ１１は、２個の画像サーバ１１ａ，１１ｂを備える。画像サーバ１１ａ，１１ｂは、Ｘ線ＣＴ装置１０によって生成される画像データを、ネットワークＮを介して受信して保管するＤＢサーバである。
【００４０】
ＲＩＳ１２は、主にＸ線診断装置及びＸ線ＣＴ装置等の放射線機器による検査と治療の予約から検査結果までの管理を行なうシステムである。ＲＩＳ１２は、患者情報や予約情報等の内容をＨＩＳ（ｈｏｓｐｉｔａｌ  ｉｎｆｏｒｍａｔｉｏｎ  ｓｙｓｔｅｍ）から取得する。
【００４１】
ＷＳ１３は、２個のＷＳ１３ａ，１３ｂを備える。ＷＳ１３は、Ｘ線ＣＴ装置１０や画像サーバ１１によって生成される画像データの観察、治療計画支援、及びレポート作成を行なう装置である。
【００４２】
サービスセンタ１４は、Ｘ線ＣＴ装置１０からのメンテナンス要求を受け付ける。サービスセンタ１４は、専門のエンジニアからＸ線ＣＴ装置１０に連絡し、Ｘ線ＣＴ装置１０のメンテナンスを実施する。
【００４３】
図６及び図７は、第１実施形態のＸ線ＣＴ装置１０の機能を示すブロック図である。
【００４４】
第１実施形態のＸ線ＣＴ装置１０のプロセッサ２２がプログラムを実行することによって、図６及び図７に示すように、Ｘ線ＣＴ装置１０は、ＤＢ切換手段、すなわち、起動・リカバリ手段（ＩＰＬ：ｉｎｉｔｉａｌ  ｐｒｏｇｒａｍ  ｌｏａｄｅｒ）３１及び被起動手段３２として機能する。そして、被起動手段３２は、メンテナンス要求手段４１、実施要求手段４２、スキャン制御手段４３、再構成画像生成手段４４、再構成画像転送手段４５、後処理画像生成手段４６、後処理画像転送手段４７、ワークフロー更新登録手段４８、ワークフロー転送手段４９、リカバリ要求手段５０、及びリカバリ・移行手段５１として機能する。なお、第１実施形態のＸ線ＣＴ装置１０においては、第２ワークフローＤＢ２５ｂ及び第２生ＤＢ２６ｂは必須の構成要素ではない。
【００４５】
Ｘ線ＣＴ装置１０は、第１ワークフローＤＢ２５ａ、第１生ＤＢ２６ａ、及び第１画像ＤＢ２７ａ（以下、「第１ＤＢ群２５ａ〜２７ａ」という。）のリカバリが必要と判断される場合に、リカバリに比較的時間（負荷）を要しない第１ワークフローＤＢ２５ａ及び第１生ＤＢ２６ａのみを起動時にリカバリするときを説明するものである。なお、Ｘ線ＣＴ装置１０では、第２ワークフローＤＢ２５ｂ及び第２生ＤＢ２６ｂは必須の要件ではないので、図６及び図７では省略する。
【００４６】
図６を説明すると、起動・リカバリ手段３１及び被起動手段３２は、第１ＤＢ群２５ａ〜２７ａのリカバリ（インデックスのリカバリ等）が必要と判断する場合、第１画像ＤＢ２７ａの代わりに、第２画像ＤＢ２７ｂを用いるように制御する機能を有する。起動・リカバリ手段３１は、起動時に、過去のシャットダウンが正常に行なわれなかったことに起因して第１ＤＢ群２５ａ〜２７ａのリカバリが必要と判断する場合、第１ワークフローＤＢ２５ａ及び第１生ＤＢ２６ａをリカバリし、第２画像ＤＢ２７ｂと、非起動手段３２とを起動させる。すなわち、起動・リカバリ手段３１は、第１ＤＢ群２５ａ〜２７ａのリカバリが必要と判断する場合、この時点ではあえて第１画像ＤＢ２７ａをリカバリしない。
【００４７】
一方で、起動・リカバリ手段３１は、第１ＤＢ群２５ａ〜２７ａのリカバリが不必要と判断する場合、従来どおり、第１ＤＢ群２５ａ〜２７ａをそれぞれ起動する機能を有する。
【００４８】
被起動手段３２は、起動・リカバリ手段３１によって第１ＤＢ群２５ａ〜２７ａのリカバリが必要と判断される場合に、動作するものである。被起動手段３２のメンテナンス要求手段４１は、起動・リカバリ手段３１によって第１ＤＢ群２５ａ〜２７ａのリカバリが必要と判断される場合、その旨を、ＩＦ２４を介してサービスセンタ１４に転送する機能を有する。
【００４９】
実施要求手段４２は、起動・リカバリ手段３１によってリカバリされた第１ワークフローＤＢ２５ａに登録されたワークフロー（図３に図示）を参照して、簡易データ復旧手段（手段４３〜４７）に対して、未実施の検査、再構成画像生成、再構成画像転送、後処理画像生成、及び後処理画像転送の実施を要求する機能を有する。ここで、実施要求手段４２は、未実施の検査、再構成画像生成、再構成画像転送、後処理画像生成、及び後処理画像転送の実施を要求する場合、ワークフローの読影完了予定日を参照して古いものから順に実施要求を行なうことが好適である。
【００５０】
図７の説明に移って、スキャン制御手段４３は、実施要求手段４２（図６に図示）からの要求に従って、未実施の検査を実施するために、撮像部２０の動作を制御する機能を有する。そして、スキャン制御手段４３は、収集された生データをリカバリされた第１生ＤＢ２６ａに保管する機能を有する。
【００５１】
再構成画像生成手段４４は、実施要求手段４２（図６に図示）からの要求に従って、未実施の再構成画像生成を実施するために、起動・リカバリ手段３１（図６に図示）によってリカバリされた第１生ＤＢ２６ａに保管された生データに基づいて画像再構成を行なって再構成画像データを生成する機能を有する。そして、再構成画像生成手段４４は、再構成画像データが生成されると、再構成画像データを、起動・リカバリ手段３１（図６に図示）によって起動された第２画像ＤＢ２７ｂに保管する。
【００５２】
再構成画像転送手段４５は、実施要求手段４２（図６に図示）からの要求に従って、未実施の再構成画像転送を実施するために、起動・リカバリ手段３１（図６に図示）によって起動された第２画像ＤＢ２７ｂに保管された再構成画像データを転送する。
【００５３】
後処理画像生成手段４６は、ＤＩＣＯＭ＿Ｑ（ｑｕｅｒｙ）／Ｒ（ｑｕｅｒｙ）を用いて、画像サーバ１１及びＷＳ１３等の再構成画像転送先に対して再構成画像データの検索問い合わせを行なって再構成画像データを取得し、取得された再構成画像データを、起動・リカバリ手段３１（図６に図示）によって起動された第２画像ＤＢ２７ｂに保管する機能を有する。すなわち、後処理画像生成手段４６は、リカバリされない第１画像ＤＢ２７ａに記憶された再構成画像データの一部を第２画像ＤＢ２７ｂに再現することができる。そして、後処理画像生成手段４６は、実施要求手段４２（図６に図示）からの要求に従って、未実施の後処理画像生成を実施するために、再構成画像生成手段４４によって生成され、又は、ＤＩＣＯＭ＿Ｑ／Ｒを用いて取得され、起動・リカバリ手段３１（図６に図示）によって起動された第２画像ＤＢ２７ｂに保管された再構成画像データを後処理（画像処理）して、後処理後画像データを生成する機能を有する。そして、後処理画像生成手段４６は、後処理画像データが生成されると、後処理画像データを第２画像ＤＢ２７ｂに保管する。
【００５４】
後処理画像転送手段４７は、実施要求手段４２（図６に図示）からの要求に従って、未実施の後処理画像転送を実施するために、後処理画像生成手段４６によって生成され、第２画像ＤＢ２７ｂに保管された後処理画像データを、ＩＦ２４を介して画像サーバ１１やＷＳ１３に転送する機能を有する。後処理画像転送手段４７は、第２画像ＤＢ２７ｂに保管された再構成画像データを転送する。
【００５５】
ワークフロー更新登録手段４８は、手段４３〜４７による実施に従って、起動・リカバリ手段３１（図６に図示）によってリカバリされた第１ワークフローＤＢ２５ａに登録されるワークフローを更新登録する機能を有する。例えば、図３に示すワークフローの患者ＩＤ「４４４４」に対応する再構成画像生成が実施されたら、図３に示すワークフローの該当部分の「未」を「済」に変更してワークフローを更新する。
【００５６】
ワークフロー転送手段４９は、ワークフロー更新登録手段４８によって第１ワークフローＤＢ２５ａに更新登録されたワークフローを、ＩＦ２４を介してＲＩＳ１２に転送する機能を有する。
【００５７】
リカバリ要求手段５０は、スキャン制御手段４３による検査終了の度に、リカバリされていない第１画像ＤＢ２７ａのリカバリ要求を行なう機能を有する。リカバリ要求手段５０は、第１ワークフローＤＢ２５ａに保管されたワークフローの再構成画像生成及び後処理画像生成の実施内容を取得し、時系列で変化する第２画像ＤＢ２７ｂの必要サイズを算出する。そして、リカバリ要求手段５０は、時系列で変化する必要サイズに基づいて、第１画像ＤＢ２７ａのリカバリの期限日を算出して表示部２９に表示させる。
【００５８】
図８は、リカバリ要求メッセージの一例を示す図である。
【００５９】
図８に示すように、再構成画像生成及び後処理画像生成の実施内容と、第２画像ＤＢ２７ｂとが比較されて算出されたリカバリの期限日（２０１２年７月１３日）を示すリカバリ要求メッセージが表示される。リカバリ要求メッセージには、「今、リカバリを実行する」のボタンと、「後でリカバリを実行する」のボタンとを含む。操作者による操作によって、リカバリ要求メッセージ上のいずれかのボタンが選択可能である。
【００６０】
図７の説明に戻って、リカバリ・移行手段５１は、入力部２８による操作内容に従って、第１画像ＤＢ２７ａのリカバリを実行する機能を有する。また、リカバリ・移行手段５１は、第２画像ＤＢ２７ｂの再構成画像データ及び後処理画像データをリカバリされた第１画像ＤＢ２７ａに移行（インポート）する機能を有する。
【００６１】
なお、リカバリ・移行手段５１は、第１画像ＤＢ２７ａのリカバリを実行する間、手段４３〜４７による実施を中断させることが好適である。
【００６２】
続いて、第１実施形態のＸ線ＣＴ装置１０の動作について、図１を参照しながら説明する。
【００６３】
図９乃至図１１は、第１実施形態のＸ線ＣＴ装置１０の動作を示すフローチャートである。
【００６４】
図９を説明すると、Ｘ線ＣＴ装置１０は、起動時に、第１ＤＢ群２５ａ〜２７ａのリカバリが不必要であるか否かを判断する（ステップＳＴ１）。ステップＳＴ１の判断にてＹＥＳ、すなわち、起動時に、第１ＤＢ群２５ａ〜２７ａのリカバリが不必要であると判断される場合、Ｘ線ＣＴ装置１０は、第１ＤＢ群２５ａ〜２７ａをそれぞれ起動する（ステップＳＴ２）。
【００６５】
Ｘ線ＣＴ装置１０は、ステップＳＴ２によって起動された第１ワークフローＤＢ２５ａに登録されたワークフロー（図３に図示）を参照して、未実施の検査、再構成画像生成、再構成画像転送、後処理画像生成、及び後処理画像転送の実施を要求する（ステップＳＴ３）。
【００６６】
Ｘ線ＣＴ装置１０は、ステップＳＴ３による要求に従って、未実施の検査を実施するために、撮像部２０の動作を制御して生データを収集して（ステップＳＴ４）、生データを、ステップＳＴ２によって起動された第１生ＤＢ２６ａに保管する（ステップＳＴ５）。又は、Ｘ線ＣＴ装置１０は、ステップＳＴ３による要求に従って、未実施の再構成画像生成を実施するために、ステップＳＴ５によって保管された生データに基づいて画像再構成を行なって再構成画像データを生成して（ステップＳＴ６）、再構成画像データを、ステップＳＴ２によって起動された第１画像ＤＢ２７ａに保管する（ステップＳＴ７）。又は、Ｘ線ＣＴ装置１０は、ステップＳＴ３による要求に従って、未実施の再構成画像転送を実施するために、ステップＳＴ７によって保管された再構成画像データを、ＩＦ２４を介して画像サーバ１１やＷＳ１３に転送する（ステップＳＴ８）。又は、Ｘ線ＣＴ装置１０は、ステップＳＴ３による要求に従って、未実施の後処理画像生成を実施するために、ステップＳＴ７によって保管された再構成画像データを後処理（画像処理）して、後処理後画像データを生成して（ステップＳＴ９）、後処理画像データを、ステップＳＴ２によって起動された第１画像ＤＢ２７ａに保管する（ステップＳＴ１０）。又は、Ｘ線ＣＴ装置１０は、ステップＳＴ３による要求に従って、未実施の後処理画像転送を実施するために、ステップＳＴ１０によって保管された後処理画像データを、ＩＦ２４を介して画像サーバ１１やＷＳ１３に転送する（ステップＳＴ１１）。
【００６７】
Ｘ線ＣＴ装置１０は、ステップＳＴ４，ＳＴ６，ＳＴ８，ＳＴ９，ＳＴ１１による実施に従って、第１ワークフローＤＢ２５ａに登録されるワークフローを更新登録する（ステップＳＴ１２）。Ｘ線ＣＴ装置１０は、ステップＳＴ１２によって第１ワークフローＤＢ２５ａに更新登録されたワークフローを、ＩＦ２４を介してＲＩＳ１２に転送する（ステップＳＴ１３）。
【００６８】
Ｘ線ＣＴ装置１０は、操作者が操作する入力部２８からのシャットダウン指示があるか否かを判断する（ステップＳＴ１４）。ステップＳＴ１４にてＹＥＳ、すなわち、シャットダウン指示があると判断される場合、Ｘ線ＣＴ装置１０は、自身をシャットダウンして（ステップＳＴ１５）、動作を終了する。一方、ステップＳＴ１４にてＮＯ、すなわち、シャットダウン指示がないと判断される場合、ステップＳＴ３の動作に戻る。
【００６９】
ステップＳＴ１の判断にてＮＯ、すなわち、起動時に、第１ＤＢ群２５ａ〜２７ａのリカバリが必要であると判断される場合、図１０に進んで、Ｘ線ＣＴ装置１０は、第１ワークフローＤＢ２５ａ及び第１生ＤＢ２６ａをそれぞれリカバリし（ステップＳＴ２１）、第２画像ＤＢ２７ｂを起動する（ステップＳＴ２２）。Ｘ線ＣＴ装置１０は、第１画像ＤＢ２７ａのリカバリが必要である旨を、ＩＦ２４を介してサービスセンタ１４に転送する（ステップＳＴ２３）。
【００７０】
Ｘ線ＣＴ装置１０は、ＤＩＣＯＭ＿Ｑ／Ｒを用いて、再構成画像転送先に対して再構成画像データの検索問い合わせを行なって再構成画像データを取得し、取得された再構成画像データを、ステップＳＴ２２によって起動された第２画像ＤＢ２７ｂに保管する（ステップＳＴ２４）。すなわち、Ｘ線ＣＴ装置１０は、ステップＳＴ２４において、リカバリされない第１画像ＤＢ２７ａに記憶された再構成画像データの一部を第２画像ＤＢ２７ｂに再現することができる。Ｘ線ＣＴ装置１０は、ステップＳＴ２１によってリカバリされた第１ワークフローＤＢ２５ａに登録されたワークフロー（図３に図示）を参照して、未実施の検査、再構成画像生成、再構成画像転送、後処理画像生成、及び後処理画像転送の実施を要求する（ステップＳＴ２５）。
【００７１】
Ｘ線ＣＴ装置１０は、ステップＳＴ２５による要求に従って、未実施の検査を実施するために、撮像部２０の動作を制御して生データを収集して（ステップＳＴ２６）、生データを、ステップＳＴ２１によってリカバリされた第１生ＤＢ２６ａに保管する（ステップＳＴ２７）。又は、Ｘ線ＣＴ装置１０は、ステップＳＴ２５による要求に従って、未実施の再構成画像生成を実施するために、ステップＳＴ２７によって保管された生データに基づいて画像再構成を行なって再構成画像データを生成して（ステップＳＴ２８）、再構成画像データを、ステップＳＴ２２によって起動された第２画像ＤＢ２７ｂに保管する（ステップＳＴ２９）。又は、Ｘ線ＣＴ装置１０は、ステップＳＴ２５による要求に従って、未実施の再構成画像転送を実施するために、ステップＳＴ２９によって保管された再構成画像データを、ＩＦ２４を介して画像サーバ１１やＷＳ１３に転送する（ステップＳＴ３０）。又は、Ｘ線ＣＴ装置１０は、ステップＳＴ２５による要求に従って、未実施の後処理画像生成を実施するために、ステップＳＴ２４又はＳＴ２９によって保管された再構成画像データを後処理（画像処理）して、後処理後画像データを生成して（ステップＳＴ３１）、後処理画像データを、ステップＳＴ２２によって起動された第２画像ＤＢ２７ｂに保管する（ステップＳＴ３２）。又は、Ｘ線ＣＴ装置１０は、ステップＳＴ２５による要求に従って、未実施の後処理画像転送を実施するために、ステップＳＴ３２によって保管された後処理画像データを、ＩＦ２４を介して画像サーバ１１やＷＳ１３に転送する（ステップＳＴ３３）。
【００７２】
Ｘ線ＣＴ装置１０は、ステップＳＴ２６，ＳＴ２８，ＳＴ３０，ＳＴ３１，ＳＴ３３による実施に従って、第１ワークフローＤＢ２５ａに登録されるワークフローを更新登録する（ステップＳＴ３４）。図１１の説明に移って、Ｘ線ＣＴ装置１０は、ステップＳＴ３４によって第１ワークフローＤＢ２５ａに更新登録されたワークフローを、ＩＦ２４を介してＲＩＳ１２に転送する（ステップＳＴ３５）。
【００７３】
Ｘ線ＣＴ装置１０は、ステップＳＴ２７による検査終了の度に、リカバリ要求メッセージ（図８に図示）を用いて、リカバリされていない第１画像ＤＢ２７ａのリカバリ要求を行なう（ステップＳＴ３６）。Ｘ線ＣＴ装置１０は、操作者が操作する入力部２８からのリカバリ指示があるか否かを判断する（ステップＳＴ３７）。ステップＳＴ３７にてＹＥＳ、すなわち、リカバリ指示があると判断される場合、Ｘ線ＣＴ装置１０は、第１画像ＤＢ２７ａのリカバリを実行する（ステップＳＴ３８）。そして、Ｘ線ＣＴ装置１０は、第２画像ＤＢ２７ｂの再構成画像データ及び後処理画像データをリカバリされた第１画像ＤＢ２７ａに移行する（ステップＳＴ３９）。
【００７４】
Ｘ線ＣＴ装置１０は、操作者が操作する入力部２８からのシャットダウン指示があるか否かを判断する（ステップＳＴ４０）。ステップＳＴ４０にてＹＥＳ、すなわち、シャットダウン指示があると判断される場合、Ｘ線ＣＴ装置１０は、自身をシャットダウンして（ステップＳＴ４１）、動作を終了する。一方、ステップＳＴ４０にてＮＯ、すなわち、シャットダウン指示がないと判断される場合、図９に示すステップＳＴ３に戻る。
【００７５】
また、ステップＳＴ３７にてＮＯ、すなわち、リカバリ指示がないと判断される場合、Ｘ線ＣＴ装置１０は、操作者が操作する入力部２８からのシャットダウン指示があるか否かを判断する（ステップＳＴ４２）。ステップＳＴ４２にてＹＥＳ、すなわち、シャットダウン指示があると判断される場合、Ｘ線ＣＴ装置１０は、自身をシャットダウンして（ステップＳＴ４１）、動作を終了する。一方、ステップＳＴ４２にてＮＯ、すなわち、シャットダウン指示がないと判断される場合、図１０に示すステップＳＴ２５の動作に戻る。
【００７６】
なお、ステップＳＴ１〜ＳＴ１５，ＳＴ２１〜ＳＴ４１の途中において、停電等による電力供給の停止が発生すると、Ｘ線ＣＴ装置１０は、正常ではないシャットダウンを行なう。
【００７７】
第１実施形態のＸ線ＣＴ装置１０及び医用画像データ処理装置２１によると、正常なシャットダウンが行なわれなかった場合に、Ｘ線ＣＴ装置１０の起動時に、リカバリに比較的時間（負荷）を要する第１画像ＤＢ２７ａをリカバリしないことで、安価なハードウェアにて次回の起動時間を大幅に短縮でき、以降の検査、画像生成、及び画像転送を滞りなく実施できる。
【００７８】
（第２実施形態）
第２実施形態の医用画像診断装置及びその周辺の構成の概略図は、図１に示す第１実施形態の医用画像診断装置１０及びその周辺の構成を示す概略図の「Ｘ線ＣＴ装置１０」を「Ｘ線ＣＴ装置１０Ａ」に、「医用画像データ処理装置２１」を「医用画像データ処理装置２１Ａ」にそれぞれ読み替える以外は図１と同等であるので、説明を省略する。第２実施形態の医用画像診断装置は、第１ＤＢ群２５ａ〜２７ａのリカバリが必要と判断される場合に、リカバリに比較的時間（負荷）を要しない第１ワークフローＤＢ２５ａ及び第１生ＤＢ２６ａのみを起動時にリカバリしようとし、第１ワークフローＤＢ２５ａの起動時のリカバリが失敗するときを説明するものである。なお、第２実施形態の医用画像診断装置では、第２生ＤＢ２６ｂは必須の要件ではないので、図１２及び図１３では省略する。
【００７９】
図１２及び図１３は、第１実施形態のＸ線ＣＴ装置１０の機能を示すブロック図である。
【００８０】
第２実施形態のＸ線ＣＴ装置１０Ａのプロセッサ２２がプログラムを実行することによって、図１２及び図１３に示すように、Ｘ線ＣＴ装置１０は、ＤＢ切換手段、すなわち、起動・リカバリ手段（ＩＰＬ）３１Ａ及び被起動手段３２Ａとして機能する。そして、被起動手段３２Ａは、メンテナンス要求手段４１Ａ、実施要求手段４２Ａ、スキャン制御手段４３、再構成画像生成手段４４、再構成画像転送手段４５、後処理画像生成手段４６、後処理画像転送手段４７、ワークフロー更新登録手段４８Ａ、ワークフロー転送手段４９、リカバリ要求手段５０、リカバリ・移行手段５１、予約情報取得手段５２、ワークフロー新規登録手段５３、及びワークフロー訂正登録手段５４として機能する。なお、第２実施形態のＸ線ＣＴ装置１０Ａにおいては、第２生ＤＢ２６ｂは必須の構成要素ではない。
【００８１】
なお、図１２及び図１３に示す第２実施形態のＸ線ＣＴ装置１０Ａにおいて、図６及び図７に示す第１実施形態のＸ線ＣＴ装置１０と同一手段には同一符号を付して説明を省略する。
【００８２】
図１２を説明すると、起動・リカバリ手段３１Ａ及び被起動手段３２Ａは、第１ＤＢ群２５ａ〜２７ａのリカバリが必要と判断する場合、第１画像ＤＢ２７ａの代わりに、第２画像ＤＢ２７ｂを用いるように制御する機能を有する。起動・リカバリ手段３１Ａは、起動時に、過去のシャットダウンが正常に行なわれなかったことに起因して第１ＤＢ群２５ａ〜２７ａのリカバリが必要と判断する場合、第１ワークフローＤＢ２５ａ及び第１生ＤＢ２６ａをリカバリしようとする機能を有する。さらに、起動・リカバリ手段３１Ａは、起動時に、第１ワークフローＤＢ２５ａのリカバリに失敗したと判断すると、第１生ＤＢ２６ａのみをリカバリし、第２ワークフローＤＢ２５ｂ、第２画像ＤＢ２７ｂ、及び非起動手段３２Ａを起動させる機能を有する。すなわち、起動・リカバリ手段３１Ａは、第１ＤＢ群２５ａ〜２７ａのリカバリが必要と判断する場合、この時点ではあえて第１画像ＤＢ２７ａをリカバリしない。
【００８３】
一方で、起動・リカバリ手段３１Ａは、起動時に、第１ワークフローＤＢ２５ａ及び第１生ＤＢ２６ａのリカバリが共に成功したと判断すると、第１実施形態のＸ線ＣＴ装置１０で説明したように、第２画像ＤＢ２７ｂ及び非起動手段３２（図６及び図７に図示）を起動させる機能を有する。
【００８４】
被起動手段３２Ａは、起動・リカバリ手段３１Ａによって第１ＤＢ群２５ａ〜２７ａのリカバリが必要と判断され、第１ワークフローＤＢ２５ａのリカバリに失敗した場合に、動作するものである。被起動手段３２Ａのメンテナンス要求手段４１Ａは、起動・リカバリ手段３１Ａによって第１ＤＢ群２５ａ〜２７ａのリカバリが必要と判断され、第１ワークフローＤＢ２５ａのリカバリに失敗した場合、その旨を、ＩＦ２４を介してサービスセンタ１４に転送する機能を有する。
【００８５】
予約情報取得手段５２は、ＩＦ２４を介してＲＩＳ１２から予約情報を取得する機能を有する。予約情報取得手段５２は、検査、画像生成、及び画像転送の未実施の情報を含む予約情報を取得する。
【００８６】
ワークフロー新規登録手段５３は、ＤＩＣＯＭ＿Ｑ／Ｒを用いて、再構成画像転送先及び後処理画像転送先に対して再構成画像データ及び後処理画像データの検索問い合わせを行なう機能を有する。そして、ワークフロー新規登録手段５３は、予約情報取得手段５２によって取得された予約情報と、予約情報の検査種類に対応する後処理種類（図２に示す検査種類−後処理テーブルに基づく）と、検索問い合わせの結果に基づく検査、画像生成、及び画像転送の実施の情報とが対応づけられてなるワークフローを生成し、そのワークフローを、起動・リカバリ手段３１Ａによって起動された第２ワークフローＤＢ２５ｂに新規登録する機能を有する。なお、新規登録されるワークフローは表示部２９（図７に図示）に表示されてもよい。
【００８７】
図１４は、第２ワークフローＤＢ２５ｂに新規登録されるワークフローの一例を示す図である。
【００８８】
図１４は、Ｘ線ＣＴ装置１０Ａの起動後に第２ワークフローＤＢ２５ｂに新規登録されるワークフローの一例を示す図である。図１４に示すように、第２ワークフローＤＢ２５ｂに新規登録されるワークフローは、予約情報と、予約情報の検査種類に対応する後処理種類と、再構成画像生成と、再構成画像転送と、後処理画像生成と、後処理画像転送とが対応づけられてなる。
【００８９】
ここで、ＤＩＣＯＭ＿Ｑ／Ｒを用いて画像サーバ１１及びＷＳ１３等の再構成画像転送先に検索問い合わせを行ない再構成画像データが保存されていると判断される場合、第２ワークフローＤＢ２５ｂに登録されるワークフローの再構成画像生成及び再構成画像転送の該当部分には、実施済を示す「済」が対応付けられる。同様に、ＤＩＣＯＭ＿Ｑ／Ｒを用いて画像サーバ１１及びＷＳ１３等の後処理画像転送先に検索問い合わせを行ない後処理画像データが保存されていると判断される場合、第２ワークフローＤＢ２５ｂに登録されるワークフローの後処理画像生成及び後処理画像転送の該当部分には、実施済を示す「済」が対応付けられる。一方で、第２ワークフローＤＢ２５ｂに登録されるワークフローの再構成画像生成、再構成画像転送、後処理画像生成、及び後処理画像転送の他の部分には、未実施を示す「未」が対応付けられる。
【００９０】
図３に示すワークフローによると、患者ＩＤ「３３３３」に対応する再構成画像生成は「済」であるので、患者ＩＤ「３３３３」に対応する再構成画像データは第１画像ＤＢ２７ａに保管されている。また、図３に示すワークフローによると、患者ＩＤ「３３３３」に対応する再構成画像転送は「未」である。よって、図３に示すワークフローによると、患者ＩＤ「３３３３」については、第１画像ＤＢ２７ａに保管されている再構成画像転送を実施すればよい状態である。しかしながら、第１ＤＢ群２５ａ〜２７ａのリカバリが必要と判断され、第１ワークフローＤＢ２５ａのリカバリに失敗した場合は、図１４に示すワークフローに示すように、患者ＩＤ「３３３３」に対応する再構成画像生成が不明であるので、「未」とされる。再構成画像データの転送が未実施のためである。
【００９１】
図１２の説明に戻って、実施要求手段４２Ａは、ワークフローＤＢセット２５に登録されたワークフローを参照して、簡易データ復旧手段（手段４３〜４７）に対して、未実施の検査、再構成画像生成、再構成画像転送、後処理画像生成、及び後処理画像転送の実施を要求する機能を有する。実施要求手段４２Ａは、起動・リカバリ手段３１Ａによって起動された第２ワークフローＤＢ２５ｂに新規登録されたワークフロー（図１４に図示）を参照する。ここで、実施要求手段４２Ａは、未実施の検査、再構成画像生成、再構成画像転送、後処理画像生成、及び後処理画像転送の実施を要求する場合、ワークフローの読影完了予定日を参照して古いものから順に実施要求を行なうことが好適である。
【００９２】
図１３の説明に移って、ワークフロー更新登録手段４８Ａは、手段４３〜４７による実施に従って、起動・リカバリ手段３１Ａ（図１２に図示）によって起動された第２ワークフローＤＢ２５ｂに登録されるワークフローを更新登録する機能を有する。例えば、図１４に示すワークフローの患者ＩＤ「４４４４」に対応する再構成画像生成が実施されたら、図１４に示すワークフローの該当部分の「未」を「済」に変更してワークフローを更新する。
【００９３】
続いて、第２実施形態のＸ線ＣＴ装置１０Ａの動作について、図１を参照しながら説明する。
【００９４】
図１５乃至図１７は、第２実施形態のＸ線ＣＴ装置１０Ａの動作を示すフローチャートである。
【００９５】
図１５を説明すると、Ｘ線ＣＴ装置１０Ａは、起動時に、第１ＤＢ群２５ａ〜２７ａのリカバリが不必要であるか否かを判断する（ステップＳＴ５０）。ステップＳＴ５０の判断にてＹＥＳ、すなわち、起動時に、第１ＤＢ群２５ａ〜２７ａのリカバリが不必要であると判断される場合、図９に示すステップＳＴ２の動作に進む。
【００９６】
一方、ステップＳＴ５０の判断にてＮＯ、すなわち、起動時に、第１ＤＢ群２５ａ〜２７ａのリカバリが必要であると判断される場合、Ｘ線ＣＴ装置１０Ａは、第１ワークフローＤＢ２５ａのリカバリに成功したか否かを判断する（ステップＳＴ５１）。ステップＳＴ５１の判断にてＹＥＳ、すなわち、起動時に、第１ワークフローＤＢ２５ａのリカバリに成功したと判断される場合、Ｘ線ＣＴ装置１０Ａは、図１０のステップＳＴ２１の動作に進む。
【００９７】
一方、ステップＳＴ５１の判断にてＮＯ、すなわち、起動時に、第１ワークフローＤＢ２５ａのリカバリに失敗したと判断される場合、図１６に進んで、Ｘ線ＣＴ装置１０Ａは、第１生ＤＢ２６ａをリカバリして（ステップＳＴ５２）、第２ワークフローＤＢ２５ｂ及び第２画像ＤＢ２７ｂを起動する（ステップＳＴ５３）。Ｘ線ＣＴ装置１０Ａは、第１画像ＤＢ２７ａのリカバリが必要である旨を、ＩＦ２４を介してサービスセンタ１４に転送する（ステップＳＴ５４）。
【００９８】
Ｘ線ＣＴ装置１０Ａは、ＩＦ２４を介してＲＩＳ１２から予約情報を取得する（ステップＳＴ５５）。Ｘ線ＣＴ装置１０Ａは、ＤＩＣＯＭ＿Ｑ／Ｒを用いて、再構成画像転送先に対して再構成画像データの検索問い合わせを行なって再構成画像データを取得し、取得された再構成画像データを、ステップＳＴ５３によって起動された第２画像ＤＢ２７ｂに保管する（ステップＳＴ５６）。すなわち、Ｘ線ＣＴ装置１０Ａは、ステップＳＴ５６において、リカバリされない第１画像ＤＢ２７ａに記憶された再構成画像データの一部を第２画像ＤＢ２７ｂに再現することができる。
【００９９】
Ｘ線ＣＴ装置１０Ａは、ＤＩＣＯＭ＿Ｑ／Ｒを用いて、再構成画像転送先及び後処理画像転送先に対して再構成画像データ及び後処理画像データの検索問い合わせを行ない、ステップＳＴ５５によって取得された予約情報と、予約情報の検査種類に対応する後処理種類（図２に示す検査種類−後処理テーブルに基づく）と、検索問い合わせの結果に基づく検査、画像生成、及び画像転送の実施の情報とが対応づけられてなるワークフロー（図１４に図示）を生成し、そのワークフローを、ステップＳＴ５３によって起動された第２ワークフローＤＢ２５ｂに新規登録する（ステップＳＴ５７）。
【０１００】
Ｘ線ＣＴ装置１０Ａは、ステップＳＴ５３によって起動された第２ワークフローＤＢ２５ｂに、ステップＳＴ５７によって登録されたワークフロー（図１４に図示）を参照して、未実施の検査、再構成画像生成、再構成画像転送、後処理画像生成、及び後処理画像転送の実施を要求する（ステップＳＴ５８）。
【０１０１】
Ｘ線ＣＴ装置１０Ａは、ステップＳＴ５８による要求に従って、未実施の検査を実施するために、撮像部２０の動作を制御して生データを収集して（ステップＳＴ５９）、生データを、ステップＳＴ５２によってリカバリされた第１生ＤＢ２６ａに保管する（ステップＳＴ６０）。又は、Ｘ線ＣＴ装置１０Ａは、ステップＳＴ５８による要求に従って、未実施の再構成画像生成を実施するために、ステップＳＴ６０によって保管された生データに基づいて画像再構成を行なって再構成画像データを生成して（ステップＳＴ６１）、再構成画像データを、ステップＳＴ５３によって起動された第２画像ＤＢ２７ｂに保管する（ステップＳＴ６２）。又は、Ｘ線ＣＴ装置１０Ａは、ステップＳＴ５８による要求に従って、未実施の再構成画像転送を実施するために、ステップＳＴ６２によって保管された再構成画像データを、ＩＦ２４を介して画像サーバ１１やＷＳ１３に転送する（ステップＳＴ６３）。又は、Ｘ線ＣＴ装置１０Ａは、ステップＳＴ５８による要求に従って、未実施の後処理画像生成を実施するために、ステップＳＴ５６又はＳＴ６２によって保管された再構成画像データを後処理（画像処理）して、後処理後画像データを生成して（ステップＳＴ６４）、後処理画像データを、ステップＳＴ５３によって起動された第２画像ＤＢ２７ｂに保管する（ステップＳＴ６５）。又は、Ｘ線ＣＴ装置１０Ａは、ステップＳＴ５８による要求に従って、未実施の後処理画像転送を実施するために、ステップＳＴ６５によって保管された後処理画像データを、ＩＦ２４を介して画像サーバ１１やＷＳ１３に転送する（ステップＳＴ６６）。
【０１０２】
Ｘ線ＣＴ装置１０Ａは、ステップＳＴ５９，ＳＴ６１，ＳＴ６３，ＳＴ６４，ＳＴ６６による実施に従って、第２ワークフローＤＢ２５ｂに新規登録されたワークフローを更新登録する（ステップＳＴ６７）。図１７の説明に移って、Ｘ線ＣＴ装置１０Ａは、ステップＳＴ６７によって第２ワークフローＤＢ２５ｂに更新登録されたワークフローを、ＩＦ２４を介してＲＩＳ１２に転送する（ステップＳＴ６８）。
【０１０３】
Ｘ線ＣＴ装置１０Ａは、ステップＳＴ５９による検査終了の度に、リカバリ要求メッセージ（図８に図示）を用いて、リカバリされていない第１画像ＤＢ２７ａのリカバリ要求を行なう（ステップＳＴ６９）。Ｘ線ＣＴ装置１０Ａは、操作者が操作する入力部２８からのリカバリ指示があるか否かを判断する（ステップＳＴ７０）。ステップＳＴ７０にてＹＥＳ、すなわち、リカバリ指示があると判断される場合、Ｘ線ＣＴ装置１０Ａは、第１画像ＤＢ２７ａのリカバリを実行する（ステップＳＴ７１）。そして、Ｘ線ＣＴ装置１０Ａは、第２画像ＤＢ２７ｂの再構成画像データ及び後処理画像データをリカバリされた第１画像ＤＢ７ａに移行する（ステップＳＴ７２）。
【０１０４】
Ｘ線ＣＴ装置１０Ａは、操作者が操作する入力部２８からのシャットダウン指示があるか否かを判断する（ステップＳＴ７３）。ステップＳＴ７３にてＹＥＳ、すなわち、シャットダウン指示があると判断される場合、Ｘ線ＣＴ装置１０Ａは、自身をシャットダウンして（ステップＳＴ７４）、動作を終了する。一方、ステップＳＴ７３にてＮＯ、すなわち、シャットダウン指示がないと判断される場合、図９に示すステップＳＴ３の動作に戻る（ただし、第２実施形態のＸ線ＣＴ装置１０Ａでは第１ワークフローＤＢ２５ａはリカバリされていないので、図９に示すステップＳＴ３〜ＳＴ１５の「第１ワークフローＤＢ２５ａ」は「第２ワークフローＤＢ２５ｂ」に読み替えられるものとする。）。
【０１０５】
また、ステップＳＴ７０にてＮＯ、すなわち、リカバリ指示がないと判断される場合、Ｘ線ＣＴ装置１０Ａは、操作者が操作する入力部２８からのシャットダウン指示があるか否かを判断する（ステップＳＴ７５）。ステップＳＴ７５にてＹＥＳ、すなわち、シャットダウン指示があると判断される場合、Ｘ線ＣＴ装置１０Ａは、自身をシャットダウンして（ステップＳＴ７４）、動作を終了する。一方、ステップＳＴ７５にてＮＯ、すなわち、シャットダウン指示がないと判断される場合、図１６に示すステップＳＴ５８の動作に進む。
【０１０６】
なお、ステップＳＴ５０〜ＳＴ７４の途中において、停電等による電力供給の停止が発生すると、Ｘ線ＣＴ装置１０Ａは、正常ではないシャットダウンを行なう。
【０１０７】
第２実施形態のＸ線ＣＴ装置１０Ａ及び医用画像データ処理装置２１Ａによると、正常なシャットダウンが行なわれなかった場合に、Ｘ線ＣＴ装置１０Ａの起動時に、リカバリに比較的時間（負荷）を要する第１画像ＤＢ２７ａをリカバリしないことで、ワークフローＤＢのリカバリに失敗したとしても、安価なハードウェアにて次回の起動時間を大幅に短縮でき、以降の検査、画像生成、及び画像転送を滞りなく実施できる。
【０１０８】
（第３実施形態）
第３実施形態の医用画像診断装置及びその周辺の構成の概略図は、図１に示す第１実施形態の医用画像診断装置１０及びその周辺の構成を示す概略図の「Ｘ線ＣＴ装置１０」を「Ｘ線ＣＴ装置１０Ｂ」に、「医用画像データ処理装置２１」を「医用画像データ処理装置２１Ｂ」にそれぞれ読み替える以外は図１と同等であるので、説明を省略する。第３実施形態の医用画像診断装置は、第１ＤＢ群２５ａ〜２７ａのリカバリが必要と判断される場合に、リカバリに比較的時間（負荷）を要しない第１ワークフローＤＢ２５ａ及び第１生ＤＢ２６ａのみを起動時にリカバリしようとし、第１生ＤＢ２６ａの起動時のリカバリが失敗するときを説明するものである。なお、第３実施形態の医用画像診断装置では、第２ワークフローＤＢ２５ｂは必須の要件ではないので、図１８及び図１９では省略する。
【０１０９】
図１８及び図１９は、第３実施形態のＸ線ＣＴ装置１０Ｂの機能を示すブロック図である。
【０１１０】
第３実施形態のＸ線ＣＴ装置１０Ｂのプロセッサ２２がプログラムを実行することによって、図１８及び図１９に示すように、Ｘ線ＣＴ装置１０Ｂは、ＤＢ切換手段、すなわち、起動・リカバリ手段３１Ｂ及び被起動手段３２Ｂとして機能する。そして、被起動手段３２Ｂは、メンテナンス要求手段４１Ｂ、実施要求手段４２、スキャン制御手段４３Ｂ、再構成画像生成手段４４Ｂ、再構成画像転送手段４５、後処理画像生成手段４６、後処理画像転送手段４７、ワークフロー更新登録手段４８、ワークフロー転送手段４９、リカバリ要求手段５０Ｂ、及びリカバリ・移行手段５１Ｂとして機能する。なお、第３実施形態のＸ線ＣＴ装置１０Ｂにおいては、第２ワークフローＤＢ２５ｂは必須の構成要素ではない。
【０１１１】
なお、図１８及び図１９に示す第３実施形態のＸ線ＣＴ装置１０Ｂにおいて、図６及び図７に示す第１実施形態のＸ線ＣＴ装置１０と同一手段には同一符号を付して説明を省略する。
【０１１２】
図１８を説明すると、起動・リカバリ手段３１Ｂ及び被起動手段３２Ｂは、第１ＤＢ群２５ａ〜２７ａのリカバリが必要と判断する場合、第１画像ＤＢ２７ａの代わりに、第２画像ＤＢ２７ｂを用いるように制御する機能を有する。起動・リカバリ手段３１Ｂは、起動時に、過去のシャットダウンが正常に行なわれなかったことに起因して第１ＤＢ群２５ａ〜２７ａのリカバリが必要と判断する場合、第１ワークフローＤＢ２５ａ及び第１生ＤＢ２６ａをリカバリしようとする機能を有する。さらに、起動・リカバリ手段３１Ｂは、起動時に、第１生ＤＢ２６ａのリカバリに失敗したと判断すると、第１ワークフローＤＢ２５ａのみをリカバリし、第２生ＤＢ２６ｂ、第２画像ＤＢ２７ｂ、及び非起動手段３２Ｂを起動させる機能を有する。すなわち、起動・リカバリ手段３１Ｂは、第１ＤＢ群２５ａ〜２７ａのリカバリが必要と判断する場合、この時点ではあえて第１画像ＤＢ２７ａをリカバリしない。
【０１１３】
一方で、起動・リカバリ手段３１Ｂは、起動時に、第１ワークフローＤＢ２５ａ及び第１生ＤＢ２６ａのリカバリが共に成功したと判断すると、第１実施形態のＸ線ＣＴ装置１０で説明したように、第２画像ＤＢ２７ｂ及び非起動手段３２（図６及び図７に図示）を起動させる機能を有する。
【０１１４】
被起動手段３２Ｂは、起動・リカバリ手段３１Ｂによって第１ＤＢ群２５ａ〜２７ａのリカバリが必要と判断され、第１生ＤＢ２５ａのリカバリに失敗した場合に、動作するものである。被起動手段３２Ｂのメンテナンス要求手段４１Ｂは、起動・リカバリ手段３１Ｂによって第１ＤＢ群２５ａ〜２７ａのリカバリが必要と判断され、第１生ＤＢ２６ａのリカバリに失敗した場合、その旨を、ＩＦ２４を介してサービスセンタ１４に転送する機能を有する。
【０１１５】
図１９の説明に移って、スキャン制御手段４３Ｂは、実施要求手段４２Ｂ（図１８に図示）からの要求に従って、未実施の検査を実施するために、撮像部２０の動作を制御する機能を有する。そして、スキャン制御手段４３Ｂは、収集された投影データ等の再構成前の生データを、起動・リカバリ手段３１Ｂ（図１８に図示）によって起動された第２生ＤＢ２６ｂに保管する。
【０１１６】
再構成画像生成手段４４Ｂは、実施要求手段４２Ｂ（図１８に図示）からの要求に従って、未実施の再構成画像生成を実施するために、起動・リカバリ手段３１Ｂ（図１８に図示）によって起動された第２生ＤＢ２６ｂに保管された生データに基づいて画像再構成を行なう。
【０１１７】
第１生ＤＢ２６ａのリカバリに失敗した場合、それ以降にスキャン制御手段４３Ｂによって収集され、起動された第２生ＤＢ２６ｂに保管された生データを用いてしか、再構成画像生成手段４４Ｂによる再構成処理を実施できない。
【０１１８】
リカバリ要求手段５０Ｂは、リカバリ要求手段５０（図７に図示）の機能に加え、スキャン制御手段４３Ｂによる検査終了の度に、リカバリされていない第１生ＤＢ２６ａのリカバリ要求を行なう機能を有する。リカバリ要求手段５０Ｂは、第１ワークフローＤＢ２５ａに保管されたワークフローの検査の実施内容を取得し、時系列で変化する第２生ＤＢ２６ｂの必要サイズを算出する。そして、リカバリ要求手段５０Ｂは、時系列で変化する必要サイズに基づいて、第１生ＤＢ２６ａのリカバリの期限日を算出して表示部２９に表示させる。
【０１１９】
リカバリ・移行手段５１Ｂは、リカバリ・移行手段５１（図７に図示）の機能に加え、入力部２８による操作内容に従って、第１生ＤＢ２６ａのリカバリを実行する機能を有する。また、リカバリ・移行手段５１Ｂは、第２生ＤＢ２６ｂの生データをリカバリされた第１生ＤＢ２６ａに移行（インポート）する機能を有する。
【０１２０】
なお、リカバリ・移行手段５１Ｂは、第１生ＤＢ２６ａのリカバリを実行する間、手段４３Ｂ〜４７による実施を中断させることが好適である。
【０１２１】
第３実施形態のＸ線ＣＴ装置１０Ｂ及び医用画像データ処理装置２１Ｂによると、正常なシャットダウンが行なわれなかった場合に、Ｘ線ＣＴ装置１０Ｂの起動時に、リカバリに比較的時間（負荷）を要する第１画像ＤＢ２７ａをリカバリしないことで、生ＤＢのリカバリに失敗したとしても、安価なハードウェアにて次回の起動時間を大幅に短縮でき、以降の検査、画像生成、及び画像転送を滞りなく実施できる。
【０１２２】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【０１２３】
１０，１０Ａ，１０Ｂ  医用画像診断装置（Ｘ線ＣＴ装置）
２１，２１Ａ，２１Ｂ  医用画像データ処理装置
２２  プロセッサ
２５  ワークフローＤＢセット
２５ａ  第１ワークフローＤＢ
２５ｂ  第２ワークフローＤＢ
２６  生ＤＢセット
２６ａ  第１生ＤＢ
２６ｂ  第２生ＤＢ
２７  画像ＤＢセット
２７ａ  第１画像ＤＢ
２７ｂ  第２画像ＤＢ
３１，３１Ａ，３１Ｂ  起動・リカバリ手段
３２，３２Ａ，３２Ｂ  被起動手段
４１，４１Ａ，４１Ｂ  メンテナンス要求手段
４２，４２Ａ  実施要求手段
４３，４３Ｂ  スキャン制御手段
４４，４４Ｂ  再構成画像生成手段
４５  再構成画像転送手段
４６  後処理画像生成手段
４７  後処理画像転送手段
４８，４８Ａ  ワークフロー更新登録手段
４９  ワークフロー転送手段
５０，５０Ｂ  リカバリ要求手段
５１，５１Ｂ  リカバリ・移行手段
５２  予約情報取得手段
５３  ワークフロー新規登録手段
５４  ワークフロー訂正登録手段
【図１】
2015011468.tif 000003
【図２】
2015011468.tif 000004
【図３】
2015011468.tif 000005
【図４】
2015011468.tif 000006
【図５】
2015011468.tif 000007
【図６】
2015011468.tif 000008
【図７】
2015011468.tif 000009
【図８】
2015011468.tif 000010
【図９】
2015011468.tif 000011
【図１０】
2015011468.tif 000012
【図１１】
2015011468.tif 000013
【図１２】
2015011468.tif 000014
【図１３】
2015011468.tif 000015
【図１４】
2015011468.tif 000016
【図１５】
2015011468.tif 000017
【図１６】
2015011468.tif 000018
【図１７】
2015011468.tif 000019
【図１８】
2015011468.tif 000020
【図１９】
2015011468.tif 000021